(57)【特許請求の範囲】
【請求項１】
生体に与える刺激の出力を調節するためのコントローラーにおいて、
二本の指の間に把持される把持部が備えられ、操作部が手の表側で前記把持部に連接され、
前記把持部の形状が、前記操作部よりも括れており、
前記操作部が、掌に収まる程度の大きさであり、
施術者が、前記把持部を指で把持したまま、指を施術に用いることが可能である、
ことを特徴とするコントローラー。
【請求項２】
前記操作部における操作スイッチが、前記操作部に対して張り出していない、
ことを特徴とする請求項１に記載されたコントローラー。
【請求項３】
前記操作部から前記把持部に向かう奥行き方向に対して直交する幅方向における形状が、前記幅方向における中心に対して対称に形成された、
ことを特徴とする請求項１または請求項２に記載されたコントローラー。  
【請求項４】
前記操作部における操作スイッチの配置が、前記操作部から前記把持部に向かう奥行き方向に対して直交する幅方向における中心に対して対称である、
ことを特徴とする請求項１から請求項３のいずれか１項に記載されたコントローラー。
【請求項５】
防水構造である、
ことを特徴とする請求項１から請求項４のいずれか１項に記載されたコントローラー。
【請求項６】
リード線が、手の裏側で前記把持部に連接された、
ことを特徴とする請求項１から請求項５のいずれか１項に記載されたコントローラー。
【発明の詳細な説明】
【技術分野】
【０００１】
本発明は、美容や治療において生体に与える刺激の出力を調節するためのコントローラーに関するものである。
【背景技術】
【０００２】
従来、例えば美容施術などにおいて肌に与える電気などの刺激の出力を調節するためのコントローラーは、プローブが接続された本体装置自体に備えられ、コントローラーによってプローブからの出力が調節される。そのため、出力を調節する際、施術者の視線がコントローラー（本体装置）に向けられると、プローブが当てられた施術部位から視線が離れる場合がある。
【０００３】
そのため、コントローラーが一体となって形成されたプローブが提案されたが、このプローブによれば、施術者がコントローラーを操作する際の指の力がプローブに伝わり、この力が、プローブを肌に押し付ける方向に働くことで、美容施術の安定を損なう場合がある。
【０００４】
そこで、コントローラーとプローブとを分け、コントローラーのみを手に取り付ける構成としたものとして、下記特許文献１に記載されたリモートコントローラー、および下記特許文献２に記載されたリモートコントロール装置がある。
【０００５】
リモートコントローラーは、パーソナルコンピューターなどを用いて画面に表示されたプレゼンテーション資料を遠隔操作する際に用いられるものであり、操作部が備えられた本体と、指やレーザーポインターに取り付けられる取付部とから構成されている。
【０００６】
一方、リモートコントロール装置は、例えばテレビやＡＶ機器などの様々な機器に用いられるものであり、手や指が通されるバンドが操作部の側面や裏側に取り付けられている。
【先行技術文献】
【特許文献】
【０００７】
【特許文献１】特開２０１４−２０４３２６号公報
【特許文献２】実開昭５４−０８５２９１号公報
【発明の概要】
【発明が解決しようとする課題】
【０００８】
しかし、上記したとおり、各コントローラーは、いずれもプローブから独立させることができるものであるが、各コントローラーは手や指に取り付けられ、手や指に対して操作位置や操作角度が固定されるものである。そのため、手や指を自由に動かすことができる範囲は制限される。この場合、美容施術においては、次のようなことが問題となる。
【０００９】
被施術者の顔にプローブを当てる美容施術では、施術する部位に応じて顔の向きを変える必要がある。このとき、施術者は両手を使って被施術者の頭部を支持し、顔の向きを傾ける。また、低周波による美容施術においては、額などに対しては出力を高くするが、敏感な目元に対しては出力を低くするため、施術する部位に応じて出力を調節する必要がある。したがって、コントローラーの操作頻度は比較的高い。さらに、一般的な美容施術では、例えば、ラジオ波、超音波、低周波などを一連で施術するため、その都度プローブを持ち替える必要があり、状況によってはプローブを持ち替える際に両手が必要となる場合もある。
【００１０】
すなわち、手や指の可動範囲が制限されていると、被施術者の顔の向きを変える場合、また、被施術者の頭を支持しながらコントローラーを操作する場合、さらには、プローブを持ち替える場合に、円滑な美容施術の妨げとなる。
【００１１】
本発明は、上記の実情に鑑みて提案されたものである。すなわち、手や指の可動範囲を広くとることができ、円滑な美容施術を実現することができるコントローラーの提供を目的とする。
【課題を解決するための手段】
【００１２】
上記目的を達成するために、本発明に係るコントローラーは、生体に与える刺激の出力を調節するためのコントローラーにおいて、二本の指の間に把持される把持部が備えられ、操作部が手の表側で前記把持部に連接された、ことを特徴とする。
【００１３】
本発明に係る美容装置は、前記把持部の形状が、前記操作部よりも括れている、ことを特徴とする。
【００１４】
本発明に係る美容装置は、前記操作部から前記把持部に向かう奥行き方向に対して直交する幅方向における形状が、前記幅方向における中心に対して対称に形成された、ことを特徴とする。
【００１５】
本発明に係る美容装置は、前記操作部における操作スイッチの配置が、前記操作部から前記把持部に向かう奥行き方向に対して直交する幅方向における中心に対して対称である、ことを特徴とする。
【００１６】
本発明に係る美容装置は、防水構造である、ことを特徴とする。
【００１７】
本発明に係る美容装置は、リード線が、手の裏側で前記把持部に連接された、ことを特徴とする。
【発明の効果】
【００１８】
本発明に係るコントローラーは、上記した構成である。すなわち、把持部が二本の指で把持されるため、残りの三本の指が自由である。したがって、手や指の可動範囲を広くとることができ、円滑な美容施術を実現することができる。
【００１９】
また、手や指が拘束されるのではなく、施術者の力で把持部を把持するものであるため、手や指の可動範囲を広くとることができる。詳説すれば、把持する力の入れ具合を加減し、把持する角度を変えたりするなど、持ち方を変化させることで、手や指に対するコントローラーの配置を任意に変化させることができる。したがって、コントローラーの操作や他の機器の持ち替えを円滑に行うことができる。
【００２０】
本発明に係るコントローラーは、把持部の形状が、操作部よりも括れている。この構成により、括れた把持部に指が納められる。把持部は、括れた分、操作部よりも細く形成されるため、指の間において指の付け根付近に配置され、指先が自由となる。したがって、手や指の可動範囲を広くとることができ、円滑な美容施術を実現することができる。
【００２１】
本発明に係るコントローラーは、操作部から把持部に向かう奥行き方向に対して直交する幅方向における形状が、幅方向における中心に対して対称に形成されている。すなわち、コントローラーは幅方向の形状が、中心に対して対称であるため、左右の手のいずれで把持しても同じ操作位置となる。したがって、利き手に応じて用いることができ、利き手によって使いやすさが異ならないようにすることができる。
【００２２】
本発明に係るコントローラーは、操作部における操作スイッチの配置が、操作部から把持部に向かう奥行き方向に対して直交する幅方向における中心に対して対称である。すなわち、操作スイッチの配置が、中心に対して対称であるため、左右の手のいずれで把持しても、操作スイッチが同じ配置となる。したがって、利き手に応じて用いることができ、利き手によって使いやすさが異ならないようにすることができる。
【００２３】
本発明に係るコントローラーは、防水構造である。すなわち、美容施術においては薬剤などが肌に塗布されるところ、薬剤などがコントローラーに付着した場合であっても、コントローラーを薬剤から保護することができる。
【００２４】
本発明に係るコントローラーは、リード線が、手の裏側で把持部に連接されている。この構成により、リード線が被施術者の顔側に来ることがない。したがって、被施術者に快適な美容施術を提供することができ、円滑な美容施術を実現することができる。
【図面の簡単な説明】
【００２５】
【図１】本発明の実施形態に係るコントローラーが備えられた本体装置の斜視図である。
【図２】本発明の実施形態に係るコントローラーが示され、（ａ）が、斜視図、（ｂ）が、上方から視した平面図、（ｃ）が、左方から視した左側面図、（ｄ）が、正面から視した正面図、（ｅ）が、右方から視した右側面図、（ｆ）が、背面から視した背面図、（ｇ）が、下方から視した底面図である。
【図３】本発明の実施形態に係るコントローラーの使用状態が示された説明図である。
【図４】本発明の実施形態に係るコントローラーの使用状態が示された説明図である。
【発明を実施するための形態】
【００２６】
以下に、本発明の実施形態に係るコントローラー１０を図面に基づいて説明する。図１は、本発明の実施形態に係るコントローラー１０が接続された本体装置３が示されている。
【００２７】
図１に示されているとおり、本体装置３は、複数の美容装置が接続され、各美容装置が載置部に置かれている。各美容装置は、例えば、低周波などによる刺激を被施術者２の肌に与えるもの（図４参照）、周波数を変化させるために電気をコントロールするもの、肌を温めるためのスチームを噴霧するもの、空圧でリンパマッサージを行うもの、化粧水などをミスト状に噴霧するもの、負圧によって毛穴の汚れや皮脂を吸引するもの、肌を洗浄するブラシを回転させるものなどがある。このコントローラー１０は、これらの装置から肌に与える刺激の出力を調節するためのものであり、防水構造が施されている。
【００２８】
ここで、コントローラー１０を図面に基づいて詳説する。図２は、本発明の実施形態に係るコントローラー１０が示され、図３は、コントローラー１０の使用状態が示されている。なお、以下の説明では、図２において、操作部１２から把持部１１に向かう方向を奥行き方向の手前側および奥側とし、奥行き方向に対して直交する方向を、横幅方向における左右側方、および縦幅方向における上下とする。また、手の表側とは、掌側をいい、手の裏側とは、手の甲側をいう。
【００２９】
図２および図３に示されているとおり、コントローラー１０は、掌に納まる程度の大きさであり、二本の指の間に把持される把持部１１と、手前側で把持部１１に連接されて手の表側に配置される操作部１２と、奥側で把持部１１に連接されて手の裏側に配置されるリード線連結部１４とから構成され、把持部１１の形状が操作部１２およびリード線連結部１４よりも括れたことで、上方から視して瓢箪型に形成されている（図２（ｂ）参照）。すなわち、コントローラー１０の横幅および縦幅は（図２（ｂ）（ｃ）（ｅ）参照）、手前側の操作部１２が最も広く形成され、この操作部１２から奥側に向かうにつれて徐々に狭く形成されて把持部１１が連接され、この把持部１１の奥側に向かうにつれて徐々に広く形成されてリード線連結部１４が連接されている。このリード線連結部１４の横幅および縦幅は、操作部１２よりも狭く、把持部１１よりも広い。
【００３０】
この様な形状から、コントローラー１０は、横幅方向における形状が、横幅方向における中心に対して対称に形成されている。なお、縦幅方向における形状が、縦幅方向における中心に対して対称に形成されていてもよい。
【００３１】
操作部１２は、横幅方向に長い楕円形に近い形状であり、操作スイッチ１３が横幅方向に向けて直線上に並んで配置されている。操作スイッチ１３は、出力を上げる「ＵＰ」スイッチと、出力を下げる「ＤＮ」スイッチとがあり、例えば左側から順に「ＤＮ」「ＵＰ」「ＤＮ」と配列されるなど、配置が、横幅方向における中心に対して対称である。なお、操作スイッチは、円滑に操作することができる限り、縦幅方向に向けて直線上に並べられ、縦幅方向における中心に対して対称であってもよい。
【００３２】
把持部１１は、横幅方向および縦幅方向ともに、操作部１２およびリード線連結部１４よりも括れ、二本の指の間に把持される程度の大きさに形成されている。リード線連結部１４は、操作部１２と同様に、横幅方向に長い楕円形に近い形状であり、下方端にリード線１５が接続され、このリード線１５が本体装置３に接続されている。
【００３３】
上記のとおり、本実施形態に係るコントローラー１０が構成されている。
【００３４】
次に、本実施形態に係るコントローラー１０の使用方法を図面に基づいて説明する。図３および図４は、本実施形態に係るコントローラー１０の使用状態が示されている。
【００３５】
図３に示されているとおり、美容施術において、施術者１は、コントローラー１０を用いる際、二本の指の間にコントローラー１０を挟む。詳説すれば、仮に施術者１が右利きであれば、利き手である右手で種々の美容装置４を持ち、利き手と反対側の手である左手の人差し指と中指との間で把持部１１を把持する。把持部１１は、操作部１２およびリード線連結部１４よりも括れているため、把持部１１が人差し指および中指の間に納まり、操作部１２が手の表側に配置され、リード線連結部１４が手の裏側に配置される。また、人差し指および中指の間において、把持部１１を、指の付け根部分で把持するか、指先側で把持するかは任意である。
【００３６】
施術者１の指は、親指、薬指、小指が自由であるため、例えば親指で操作部１２の操作スイッチ１３を押すなどして施術者１が操作部１２を操作する。
【００３７】
この状態において、図４に示されているとおり、施術者１は、親指、薬指、小指の三本の指で被施術者２の頭部を支え、また、頭部を傾けることができる。把持部１１を、指の付け根部分で把持した場合、さらに人差し指および中指の指先が自由であるため、頭部を適切に支えることができる。なお、利き手が左手である場合は、利き手と反対側である右手でコントローラー１０を用いる。
【００３８】
次に、本実施形態に係るコントローラー１０の効果を説明する。
【００３９】
上記したとおり、本実施形態によれば、二本の指の間に把持される把持部１１と、手前側で把持部１１に連接されて手の表側に配置される操作部１２と、奥側で把持部１１に連接されて手の裏側に配置されるリード線連結部１４とから構成されている。把持部１１は、横幅および縦幅ともに、操作部１２およびリード線連結部１４よりも括れ、二本の指の間に把持される程度の大きさに形成されている。すなわち、把持部１１が、例えば人差し指と中指の二本で把持されるため、残りの親指、薬指、小指の三本の指が自由である。したがって、手や指の可動範囲を広くとることができ、円滑な美容施術を実現することができる。
【００４０】
また、手や指に拘束されるのではなく、施術者１の力で把持部１１を把持するものであるため、把持する力の入れ具合を加減し、把持する角度を変えたりするなど、持ち方を変化させることで、手や指に対するコントローラー１０の配置を任意に変化させることができる。例えば、人差し指および中指の間において、把持部１１を、指の付け根部分で把持することで、人差し指および中指の指先が自由となる。したがって、手や指の可動範囲をさらに広くとることができ、円滑な美容施術を実現することができる。また、コントローラー１０の操作や美容機器４の持ち替えを円滑に行うことができる。
【００４１】
本実施形態によれば、横幅方向における形状が、横幅方向における中心に対して対称に形成されている。そのため、左右の手のいずれで把持しても、手に対して同じ操作配置となる。したがって、施術者１の利き手に応じて用いることができ、利き手によって使いやすさが異ならないようにすることができる。
【００４２】
本実施形態によれば、操作スイッチ１３の配置は、横幅方向における中心に対して対称である。そのため、左右の手のいずれで把持しても、手に対して操作スイッチ１３が同じ配置となる。したがって、施術者１の利き手に応じて用いることができ、利き手によって使いやすさが異ならないようにすることができる。
【００４３】
本実施形態によれば、コントローラー１０は防水構造が施されている。したがって、美容施術において薬剤などがコントローラー１０に付着した場合であっても、コントローラー１０を薬剤から保護することができる。
【００４４】
本実施形態によれば、リード線連結部１４は、奥側で把持部１１に連接されて手の裏側に配置されている。この構成により、リード線１５が被施術者２の顔側に来ることがない。したがって、被施術者２に快適な美容施術を提供することができ、円滑な美容施術を実現することができる。
【００４５】
なお、他の実施形態として、リード線１５に替えて、本体装置３とコントローラー１０に無線モジュールを搭載することで、無線で操作することも可能である。
【００４６】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４７】
１                施術者
２                被施術者
３                本体装置
４                美容装置
１０              コントローラー
１１              把持部
１２              操作部
１３              操作スイッチ
１４              リード線連結部
１５              リード線
【図１】
0006698311.tif 000002
【図２】
0006698311.tif 000003
【図３】
0006698311.tif 000004
【図４】
0006698311.tif 000005